(57)【特許請求の範囲】
【請求項１】
ユーザーから各種指定を受け付ける入力手段と、
楽曲指定処理と、演奏処理とを実行する制御手段と、を備え、
前記楽曲指定処理は、前記入力手段にて楽曲が指定された際、当該楽曲に対応する楽曲識別子と、当該楽曲を指定したユーザーのユーザー識別情報を含んだ指定情報を登録し、
前記演奏処理は、前記指定情報に含まれる楽曲識別子に対応する楽曲情報を楽曲演奏手段に演奏させるとともに、前記指定情報に含まれるユーザー識別情報に対応するユーザー情報と、投稿映像情報に対応する属性情報に基づいて選択された投稿映像情報を表示手段に表示させ、
前記属性情報は、前記投稿映像情報を投稿したユーザーのユーザー情報の少なくとも一部を含むことを特徴とする
カラオケ装置。
【請求項２】
前記演奏処理にて表示される投稿映像情報は、指定されたカテゴリーに対応する投稿映像情報から選択されることを特徴とする
請求項１に記載のカラオケ装置。
【請求項３】
前記カテゴリーは、ユーザーに提示したカテゴリーの中から指定されたものであることを特徴とする
請求項２に記載のカラオケ装置。
【請求項４】
前記カテゴリーをユーザーに提示する際、前記カテゴリーに対応する投稿映像情報を提示することを特徴とする
請求項３に記載のカラオケ装置。
【請求項５】
前記カテゴリーは、前記ユーザー情報に含まれるカテゴリー指定情報に基づいて指定されることを特徴とする
請求項２に記載のカラオケ装置。
【発明の詳細な説明】
【技術分野】
【０００１】
本発明は、楽曲の演奏に併せて歌唱を行うカラオケ装置に関するものであり、特に楽曲の演奏に併せて映像情報を表示することのできるカラオケ装置に関するものである。
【背景技術】
【０００２】
従来、楽曲の演奏に合わせて歌唱を楽しむカラオケ装置では、楽曲の演奏に同期して歌詞を表示させ、歌唱補助を行うことが通常である。その際、歌詞の背景には楽曲に対応した背景映像が表示されることで歌唱の演出が行われる。通信型カラオケ装置のようにＭＩＤＩなどの楽曲情報を用いる装置では、楽曲情報と背景映像情報が独立した情報であるため、楽曲情報のジャンル情報にて背景映像情報を選択するなどの工夫が施されている。
【０００３】
特許文献１には、このような背景映像として用いられる画像情報をユーザーが選択することのできる自動演奏装置が記載されている。この自動演奏装置では、ユーザーが楽曲情報に対して画像を事前に割り当てることで、楽曲のシーンに応じた背景映像を表示させることが可能となる。また、ユーザー自らが作成した画像を使用することも可能となっており、画像を他のユーザーに対して公開することもできる。
【０００４】
特許文献２にも、背景映像をユーザーが選択することのできることのできるカラオケ装置が記載されている。このカラオケ装置では、楽曲データおよび該楽曲データに対応させる映像データの組み合わせデータを組み合わせデータ記憶手段に記憶させておくことで、特定のカラオケ曲を演奏するときユーザーが気に入った背景映像が必ず再生されることとなる。
【０００５】
特許文献３には、利用者が作成した自作映像作品をカラオケ装置の背景映像として利用することができるカラオケシステムが記載されている。このシステムでは、映像サーバは、利用者ＩＤと楽曲ＩＤに対応付けられた映像データを保管しておき、利用者ＩＤと楽曲ＩＤを含むリクエストを受け付けた際、対応する映像データをカラオケ装置に転送することで、楽曲に対応する映像データを背景映像として利用することができる。
【先行技術文献】
【特許文献】
【０００６】
【特許文献１】特開２００３−９９０３５号公報
【特許文献２】特許第３９５６４１１号
【特許文献３】特開２００３−７６３８０号公報
【発明の概要】
【発明が解決しようとする課題】
【０００７】
特許文献１〜特許文献３に開示されるカラオケ装置では、ユーザーが背景映像を選択できるが、何れの背景映像も演奏される楽曲に対応付けられたものである。また、特許文献１、特許文献３に記載されるカラオケ装置では、利用者が作成した映像を利用できるが、映像の選択については何ら便宜が図られていない。特に特許文献３では、ユーザーが作成した映像データをユーザー自身で利用するものであって、他者に対して広く公開するものではない。
【０００８】
現在、インターネットの通信容量は格段に大きくなり、画像投稿サイトなどでは高品質の画像を扱うことも可能となっている。また、通信機能を有する携帯情報端末にはカメラが装備されるのが通常であり、ユーザーは撮影した画像を画像投稿サイトに気軽にアップ
ロードして広く公開して楽しんでいる。
【０００９】
本発明は、このような実情を鑑み、カラオケ装置において楽曲を演奏する際、膨大な数が予想される投稿映像の中から手軽に、また、歌唱を行うユーザーの嗜好を反映した映像を利用することができるカラオケ装置を提供することを目的とするものである。
【課題を解決するための手段】
【００１０】
そのため、本発明に係るカラオケ装置は、ユーザーから各種指定を受け付ける入力手段と、楽曲指定処理と、演奏処理とを実行する制御手段と、を備え、前記楽曲指定処理は、前記入力手段にて楽曲が指定された際、当該楽曲に対応する楽曲識別子と、当該楽曲を指定したユーザーのユーザー識別情報を含んだ指定情報を登録し、前記演奏処理は、前記指定情報に含まれる楽曲識別子に対応する楽曲情報を楽曲演奏手段に演奏させるとともに、前記指定情報に含まれるユーザー識別情報に対応するユーザー情報と、投稿映像情報に対応する属性情報に基づいて選択された投稿映像情報を表示手段に表示させ、前記属性情報は、前記投稿映像情報を投稿したユーザーのユーザー情報の少なくとも一部を含むことを特徴としている。
【００１１】
さらに本発明に係るカラオケ装置において、前記演奏処理にて表示される投稿映像情報は、指定されたカテゴリーに対応する投稿映像情報から選択されることを特徴としている。
【００１２】
さらに本発明に係るカラオケ装置において、前記カテゴリーは、ユーザーに提示したカテゴリーの中から指定されたものであることを特徴としている。
【００１３】
さらに本発明に係るカラオケ装置は、前記カテゴリーをユーザーに提示する際、前記カテゴリーに対応する投稿映像情報を提示することを特徴としている。
【００１４】
さらに本発明に係るカラオケ装置において、前記カテゴリーは、前記ユーザー情報に含まれるカテゴリー指定情報に基づいて指定されることを特徴としている。
【発明の効果】
【００１５】
本発明によれば、ユーザーによって投稿映像の中から、歌唱を行うユーザーの嗜好に対応するユーザーにより投稿された映像を容易に選択し、楽曲の演奏にあわせて表示させることができる。
【００１６】
また、本発明では、指定されたカテゴリーの中から投稿映像を選択することで、ユーザーの嗜好に対応する投稿映像の中において、利用したい投稿映像を絞り込むことが可能となる。
【００１７】
また、本発明では、カテゴリーをユーザーに提示して選択させることで、カテゴリー選択を容易に行うことが可能となる。
【００１８】
また、本発明では、カテゴリーをユーザーに選択させる際、カテゴリーに対応する投稿映像を対応付けて提示することで、どのような投稿映像が表示されるかを視覚的に認知させ、カテゴリー選択を補助することが可能となる。
【００１９】
また、本発明では、ユーザー情報に含まれるカテゴリー指定情報を用いることで、選曲時などにおいて、カテゴリーを指定する必要が無く、容易に投稿映像の絞り込みを行うことが可能となる。
【図面の簡単な説明】
【００２０】
【図１】本発明の実施形態に係るカラオケシステムのネットワーク構成を示す図。
【図２】本発明の実施形態に係る投稿情報を示す図。
【図３】本発明の実施形態に係るカラオケシステムの構成を示す図。
【図４】本発明の実施形態に係るトップメニューを示す図。
【図５】本発明の実施形態に係るユーザー情報を示す図。
【図６】本発明の実施形態に係る楽曲指定処理を示すフロー図。
【図７】本発明の実施形態に係る楽曲詳細画面を示す図。
【図８】本発明の実施形態に係る投稿映像選択画面を示す図。
【図９】本発明の実施形態に係る予約情報を示す図。
【図１０】本発明の実施形態に係る投稿映像情報の選択を説明するための図。
【図１１】本発明の実施形態に係る演奏処理を示すフロー図。
【図１２】本発明の実施形態に係る予約リストを示す図。
【図１３】本発明の実施形態に係るユーザー情報設定画面を示す図。
【発明を実施するための形態】
【００２１】
図１は、本発明の実施形態に係るカラオケシステムのネットワーク構成を示す図である。図中、カラオケシステムとしての主要構成は、カラオケ用ホスト、店舗などに設置されるコマンダ２などにて構成される。コマンダ２は楽曲再生機能を有した、いわゆるカラオケ装置であって、店舗内のＬＡＮ１００に接続されている。コマンダ２とカラオケ用ホストは、インターネットを介して接続され、新しく供給された楽曲情報やユーザー情報など、各種サービスに必要な情報の送受信を行う。本実施形態ではＶＰＮ（Virtual Private Network）を介して接続されており、セキュリティに優れた通信を行うことが可能となっ
ている。
【００２２】
店舗に設置されたコマンダ２は、リモコン装置１によりユーザーからの各種指示を受け付けることが可能となっている。また、リモコン装置１は表示画面を備え、ユーザーに対して各種情報を提供することも可能である。リモコン装置１は、ＬＡＮ１００上に設置されたアクセスポイント１１０ａを介してコマンダ２と無線接続される。例えば、コマンダ２ａにはリモコン装置１ａと１ｂが対応付けられ、ＬＡＮ１００ａを介した操作が可能となっている。また、リモコン装置１とコマンダ２とは赤外線を利用した近距離通信を行うことも可能である。
【００２３】
さらに、本実施形態のカラオケシステムでは、ユーザーに各種サービスを提供するためインターネット用ホストが設けられている。このインターネット用ホストは、ユーザーのパーソナルコンピュータ、携帯情報端末（携帯電話やＰＤＡなど）と接続され、これら機器を利用するユーザーに各種サービスを提供することができる。また、インターネット用ホストは、カラオケ用ホストとデータ共有することで連携を取ったサービスを提供することができる。
【００２４】
本実施形態におけるカラオケシステムは、ユーザーからの投稿映像を利用することが可能となっており、パーソナルコンピュータ、携帯情報端末などの情報端末装置からインターネット用ホストあるいはカラオケ用ホストといった管理側システムに対し、投稿映像情報を送信することが可能となっている。例えば、インターネット用ホストのｗｅｂサーバにパーソナルコンピュータでアクセスし、会員用ｗｅｂページにログインし、ユーザーが撮影、作成した映像など各種投稿映像情報を送信することができる。管理側システムでは、受信した投稿映像情報を投稿情報として管理する。なお、投稿映像情報はコマンダやリモコン装置からも送信することとしてもよいし、その場合、これらの装置も前述の情報端末装置に属するものである。
【００２５】
図２は、本発明の実施形態に係る投稿情報を示す図である。投稿情報は、送信された投
稿映像情報と管理側システムで付与される投稿参照情報を含んで構成される。投稿参照情報は、管理側システムにて投稿映像情報を管理するための情報であり、投稿映像情報を送信したユーザーのユーザーＩＤ、並びに、管理側システムにて付与するシリアル番号などの投稿ＩＤにて構成される。投稿映像情報は、静止画、動画どちらを利用してもよく、また、音声情報を含んで構成されるものであってもよい。
【００２６】
図３は、本発明の実施形態に係る店舗Ａに設置されたカラオケシステムの構成を示す図である。本実施形態におけるカラオケシステムは、コマンダ２（カラオケ装置）と、リモコン装置１にて構成されており、これらは、ＬＡＮ１００にて、無線、有線で互いに接続されている。
【００２７】
コマンダ２は、全体を統括制御する制御部３０を中心として機能し、主な機能として、演奏処理、映像再生処理、楽曲指定処理などを実行可能としている。演奏処理は、入力部２１やリモコン装置１にて、ユーザーにより指定された楽曲に対応する楽曲情報をＭＩＤＩ音源２６などの音源部にて演奏させ、スピーカー４２から放音させる処理である。このとき、スピーカー４２からはマイクロホン４３から入力される音声も合わせて放音される。映像再生処理は、映像再生部２９にて映像情報や歌詞情報などを再生させ、モニタ４１を介した視覚情報をユーザーに提供する処理である。
【００２８】
楽曲指定処理は、ユーザーからの指定に基づいて楽曲を選択、予約するための処理である。本実施形態ではリモコン装置１と連携して実行することとなる。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２とリモコン装置１は、この選曲処理に限らず、ユーザーから各種入力を受付けて、ログイン処理など各種処理を実行することが可能である。
【００２９】
また、コマンダ２には映像入力部４３が備えられている。この映像入力部４３としては、例えばメモリアダプタなどが採用される。メモリアダプタに外部メモリを装着することで、それに記憶された映像情報を読み取り、投稿映像情報として投稿することが可能である。また、コマンダ２にカメラを接続し、カメラで撮影された映像情報を投稿映像情報として利用してもよい。
【００３０】
図４は、本発明の実施形態に係るトップメニューを示す図である。本実施形態では、リモコン装置１の表示部１１に表示させ、リモコン装置１を操作するユーザーに対して各種情報を提供する。なお、リモコン装置１の操作部１７としては、カーソルキーなどの各種スイッチの他、表示部１１に表示されたアイコンを直接タッチして操作を行うタッチパネル等を採用することができる。
【００３１】
トップメニューには、楽曲選択のための各種方法を指定可能の他、ユーザーのログインに関する情報が表示されている。本実施形態では、楽曲選択として、歌手名、曲名を指定して検索を行うことができる。
【００３２】
本実施形態のカラオケシステムでは、複数のユーザーがログインすることが可能となっている。ユーザーのログインに関する情報は、画面上方に常時表示される。ログイン中のユーザーを示すアバターが表示される。図ではＡさん、Ｅさん、Ｃさん、３人のアバターが表示されているが、更なるユーザーをログインさせることも可能である。表示されている３人のアバター中、背景が褐色で表示されているユーザーは操作ユーザーであることを示している。本実施形態では、操作ユーザーのユーザー名、並びに、操作ユーザーに対する各種メッセージも表示される。
【００３３】
操作ユーザーに対しては、当該ユーザーのユーザー情報に基づいて各種サービスを行うことが可能となっており、操作ユーザーの個人情報や操作履歴などを参照することで、それに基づくサービスを提供することが可能である。
【００３４】
操作ユーザーは、画面上方左側に表示されているユーザー切替を操作することで切り換えることができる。また、画面上方右側には、新たにユーザーをログインさせる新規ログイン、操作ユーザーをログアウトさせるログアウトが表示されており、これらを操作することで、ユーザーの追加、ログアウトを行うことができる。
【００３５】
図５は、各ユーザー毎に記憶されたユーザー情報を説明するための図である。本実施形態では、ユーザー情報として、個人情報、十八番テーブル、履歴テーブルなどを含んで構成される。個人情報には、ユーザーを識別するためのユーザーＩＤ、パスワード、そして、ユーザー名、性別、年齢等を含んで構成されている。これらの設定は、リモコン装置１、あるいは、ネットワークに接続されたパーソナルコンピュータ、携帯情報端末などでユーザー自身が行うことが可能である。
【００３６】
十八番テーブルは、ユーザーによって事前に登録された楽曲を示すテーブルであって、少なくとも楽曲を識別するための楽曲識別子を含んで構成されている。この他にも各楽曲識別子に、歌唱した際に採点された最高点（採点情報）や、自分の歌唱音域に合わせるための音程情報を合わせて登録しておいてもよい。ユーザーは、この十八番テーブルを呼び出すことで、事前に登録した楽曲を容易に呼び出して選曲を行うことが可能となる。なお、採点情報には、最高点に限らず平均点や最低点であってもよく、点数に限らずランクにて構成してもよい。
【００３７】
履歴テーブルは、ユーザーがこれまでに選曲した履歴が記載されたテーブルであって、楽曲識別子、歌唱日時、歌唱店舗、採点情報、音程情報などを含んで構成されている。採点情報は、歌唱したときの採点手段による結果を示す情報であり、音程情報は歌唱したときのピッチ変更を示す情報である。
【００３８】
本実施形態では、このようなユーザー情報を利用することで、ユーザーの嗜好に即した投稿映像情報を選択することが可能となっている。本明細書では、特にユーザー情報中、個人情報を利用した投稿映像情報の選択について説明を行うが、個人情報のみならず、十八番テーブルや履歴テーブルを利用するものであってもよい。
【００３９】
図６は、本発明の実施形態に係る楽曲指定処理を示すフロー図である。本実施形態では、楽曲の指定時に、楽曲演奏時に表示する投稿映像情報のカテゴリーを選択することとしている。なお、投稿映像情報の選択方法は各種形態を採用することができるが、その詳細については後述する。
【００４０】
楽曲指定処理が開始されると、ユーザーは図４に示されるトップ画面から、各種方法楽曲にて検索を行い、歌唱する楽曲を選択する（Ｓ１０２）。検索についてはよく知られるインターフェイスを利用するものであって、ここでは詳細の説明を省略する。歌唱する楽曲が選択されると楽曲詳細画面にて詳細をユーザーに確認させるとともに、楽曲演奏時の設定が行われる（Ｓ１０３）。
【００４１】
図７には、リモコン装置１の表示部１１に表示される楽曲詳細画面が示されている。本実施形態では、楽曲の詳細を確認するため、曲名、歌手名、歌い出しが表示されている。また、歌唱時に音程を変更して自分の音域に合わせるためキー設定機能が設けられている。左右に配置される三角形のスイッチを操作することで、ユーザーの好みの音程に設定す
ることができる。さらに、本実施形態では、「投稿映像選択」スイッチが設けられており、このスイッチを操作することで、投稿映像選択画面に移行して投稿映像のカテゴリーを選択することが可能となっている。
【００４２】
図８には、投稿映像選択画面が示されている（Ｓ１０５）。この投稿映像選択画面では、個別の投稿映像情報を選択するのではなく、投稿映像のカテゴリーを選択することができる。図の例ではユーザー情報（個人情報）中の年齢を利用した「同世代」、居住地を利用した「同一居住地」、趣味を利用した「同一趣味」、うた年齢を利用した「同一うた年齢」の中から利用したいカテゴリーを選択することができる。また、本実施形態では各カテゴリーに属する投稿映像情報のサムネイル画像もあわせて表示される。このサムネイル画像は、対応するカテゴリーの投稿映像情報から任意に選択されるものであり、ユーザーによるカテゴリー選択を補助する。本実施形態では、同一あるいは近接する年齢、居住地、趣味、うた年齢をカテゴリーに選定したが、カテゴリーの選定は必ずしも同一あるいは近接するものに限らず、所定の関係を有するものを採用することができる。
【００４３】
表示されたカテゴリー中、ユーザーが一乃至複数のカテゴリーを選択（図では「同一趣味」のカテゴリーが選択されている）して「決定」ボタンを操作することで、楽曲演奏時に表示させる投稿映像のカテゴリーが決定される（Ｓ１０７）。カテゴリーが決定される、あるいは、キャンセルされる（カテゴリーを選択せずに「戻る」ボタンが操作される）と図７の楽曲詳細画面に戻る。
【００４４】
図７の楽曲詳細画面にて歌唱する楽曲の詳細を確認、また、キー設定、投稿映像のカテゴリー選択を終えたユーザーは、「予約する」と表示されているボタンを操作して歌唱する楽曲を確定させる（Ｓ１０８）。確定された楽曲は、図１０（ａ）に示される予約情報としてコマンダ１にて管理する予約リストに登録される（Ｓ１０９）。
【００４５】
図９は、本発明の実施形態に係る予約情報を示す図であって、図９（ａ）は、投稿映像のカテゴリーを選択しない場合、すなわち、通常予約時における予約情報であり、図９（ｂ）は、投稿映像のカテゴリーを選択した場合の予約情報を示している。予約情報には、選択した楽曲の楽曲識別子の他、楽曲を選択したユーザー、すなわち、操作ユーザーのユーザーＩＤを含んで構成される。また、キー設定を行った場合には、演奏時の音程を変更するための音程情報が付される。そして、投稿映像のカテゴリー選択が行われた場合には、図９（ｂ）に示されるように選択したカテゴリーに対応するカテゴリーＩＤが付される。これら予約情報は、コマンダ２にて管理する予約リストに順次、登録される。
【００４６】
図１０は、本発明の実施形態に係る投稿映像情報の選択を説明するための図である。図１０（ａ）には、楽曲を指定したユーザー、すなわち、操作ユーザーの個人情報が示されている。なお、本実施形態では、ログインしている店舗の地域を位置情報として取得することが可能となっており、この位置情報を含めてユーザー情報として扱うこととしている。投稿映像情報は、カラオケ用ホストあるいはインターネット用ホストなどの管理側システムで管理されるが、投稿映像情報の選択については、これら管理側システムで実行してもよいし、コマンダ２あるいは店舗に設置されるサーバなどで実行されるものであってもよい。投稿映像情報自体を直接管理しない側で選択する場合には、投稿参照情報やユーザー情報などを用いて投稿ＩＤが選択され、投稿映像情報が間接的に選択される。
【００４７】
図１０（ｂ）には、投稿された投稿映像に関連する情報が示されている。図では、図２にて説明した投稿映像情報に付与される投稿参照情報と、ユーザー情報（個人情報）を１つの表に併せて記載しているが、投稿参照情報とユーザー情報は個々に管理される。投稿参照情報のユーザーＩＤを共通のキーとして、投稿映像情報とユーザー情報は関連付けられる。本実施形態では、このユーザー情報（個人情報）中の所定項目が属性情報として利
用される。本実施形態の属性情報は、このようにユーザーＩＤを介してユーザー情報中の所定項目を利用することに限らず、投稿映像情報に付帯する投稿参照情報に、投稿ユーザーのユーザー情報の所定項目を加入するものであってもよい。
【００４８】
図１０に示される例では、楽曲を指定するユーザー、すなわち、操作ユーザーは「たかこ」さんである。カテゴリー選択において「同世代ユーザー」を選択した場合には、同年齢（２５歳）のユーザーである「ゆか」さん、「のぼる」さん、「としこ」さん、「まちこ」さんが投稿した投稿映像情報が選択される。また、カテゴリー選択において「同一居住地」を選択した場合には、同じ居住地（東京）のユーザーである「あい」さん、「はなこ」さんが投稿した投稿映像情報が選択される。
【００４９】
さらに、ユーザーがログインしている地域を示す位置情報を利用することも可能である。操作ユーザーの位置情報を居住地に有するユーザーの投稿映像情報を選択することで、例えば、出張時にカラオケを行った場合など、ご当地のユーザーの投稿映像情報を楽しむことが可能となる。図の例では「たかこ」さんの位置情報は大阪であるため、大阪を居住地に有する「みほ」さん、「ゆう」さん、「としこ」さんの投稿映像情報が選択される。なお、カテゴリーについては１つを選択するのみならず、複数を選択することも可能であって、その場合には選択したカテゴリーに属する投稿映像情報の論理和、あるいは、論理積から投稿映像情報が選択される。
【００５０】
このように、本実施形態では、操作ユーザーのユーザー情報を利用して投稿映像情報を選択することで、歌唱を行うユーザーの嗜好に即した投稿映像を選択することが可能となる。本実施形態では、カテゴリーを選択することで、ユーザーにある程度、投稿映像を選択させることとしているが、カテゴリー選択については必ずしも行う必要はなく、操作ユーザーのユーザー情報と投稿映像情報の投稿者のユーザー情報とを対比することで適宜選択されるものであってもよい。また、ユーザー情報としては、個人情報の他、図５にて説明した十八番テーブルや履歴テーブルを用いることで、楽曲について同様の嗜好を有するユーザーを選択するものであってもよい。
【００５１】
図１１は、本発明の実施形態に係る演奏処理を示すフロー図である。本実施形態では、楽曲指定処理にて発行された予約情報を予約リスト上で管理し、順次演奏を実行することとしている。Ｓ２０２では、予約リストにまだ演奏していない楽曲があるか否かが判定される。図１２は、予約リストの一例を示した図であって、ポインタが示す予約情報について演奏を実行することで演奏管理が行われる。図では３番目の予約情報が演奏中となっている。
【００５２】
Ｓ２０２にて予約リスト上、演奏すべき楽曲があると判定されるとＳ２０３に進み、当該楽曲が通常予約であるのか、あるいは、投稿映像が指定された予約であるのかが判定される。この判定は図９で説明した予約情報の内容によって簡易に判定することが可能である。通常予約であると判定されるとＳ２０４にて通常映像、すなわち、従来と同様、楽曲のジャンルなどに対応付けられた映像情報の再生を開始する。それと略同時にＳ２０６にて予約情報に含まれた楽曲識別子に対応する楽曲情報を楽曲演奏手段としてのＭＩＤＩ音源２６に演奏させる。Ｓ２０７にて演奏終了が判定されると、映像情報の表示を終了（Ｓ２０８）して、Ｓ２０１からの処理に戻る。
【００５３】
一方、Ｓ２０３にて投稿映像モード、本実施形態ではカテゴリーが選択された場合であって、図９（ｂ）の形式の予約情報の場合には、Ｓ２０５にて投稿映像情報を表示させる。ここでの投稿映像情報は、ユーザーが選択したカテゴリーに基づいて抽出された投稿映像情報が表示されることとなる。なお、投稿映像情報は歌詞の背景映像情報として表示されてもよいし、歌詞表示を行う表示手段とは異なる表示手段に独立して表示されてもよい
。
【００５４】
パーソナルコンピュータ、携帯情報端末、あるいは、コマンダなどの各種情報端末装置から投稿された投稿映像情報は、カラオケ用ホストなどの管理側システムにて保存されており、表示させる際にはコマンダ２にて受信しておく必要がある。前に利用した投稿映像情報がコマンダ２に蓄積されている場合には、それを優先的に利用することも考えられるが、蓄積のない場合には対応する投稿映像情報をコマンダ２にて受信する必要がある。本実施形態では、楽曲を予約する形態を採用するため、楽曲予約してから楽曲の演奏が開始される期間を利用して、表示する投稿映像情報をコマンダ２に蓄積することが考えられる。例えば図１２では、まだ演奏開始されていない５番目、６番目の予約情報にて選択される投稿映像情報を事前にコマンダ２に蓄積することが可能である。投稿映像情報の表示には、このような形態に限ることなく、ストリーミングにてリアルタイムに表示するなど各種形態を採用できる。
【００５５】
また、投稿映像モードでは、投稿映像情報と楽曲に対応した映像情報を組み合わせて表示させることも可能である。特に、選択された投稿映像情報が不足する場合に有効となる。Ｓ２０６〜Ｓ２０８では通常予約時と同様の楽曲演奏が実行される。以上、本実施形態では、歌唱を行うユーザーのユーザー情報と、投稿ユーザーのユーザー情報に基づいて投稿映像情報を選択することで、歌唱を行うユーザーの嗜好に即した投稿映像を楽しむことが可能となる。
【００５６】
本実施形態では、楽曲を指定する際にカテゴリーを選択することとしたが、カテゴリーの指定は、事前にユーザー情報中にカテゴリー指定情報として指定しておくこととしてもよい。図１３は、本発明の実施形態に係るユーザー情報設定画面を示す図である。ユーザー情報設定画面では、個人情報など各種設定を変更することが可能である。本実施形態では、背景映像設定の項目が設けられており、ここでは、投稿映像を利用するか否か、また、利用した場合、どのカテゴリーを利用するかを指定することが可能となっている。ラジオボタンを操作することで設定を行うことができ、図では投稿映像を使用すること、「年齢」がカテゴリーとして選択される様子が示されている。ここで設定した条件は、カテゴリー指定情報としてユーザー情報に格納され、選曲時に使用される。
【００５７】
このようにユーザー情報中にカテゴリー指定情報を設けることで、ユーザーは選曲時に操作することなく、使用したい投稿映像情報のカテゴリーを選択することが可能となり、簡易に投稿映像情報を利用することが可能となる。なお、この場合においても選曲時におけるカテゴリー選択を行うこととしてもよい。その場合には選曲時における選択が優先される。
【００５８】
なお、本発明はこれらの実施形態のみに限られるものではなく、それぞれの実施形態の構成を適宜組み合わせて構成した実施形態も本発明の範疇となるものである。
【符号の説明】
【００５９】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（カラオケ装置）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ハードディスク、４１…モニタ、４２…スピーカー、４３…マイクロホン、１００…ＬＡＮ、１１０…アクセスポイント、１２０…ルータ
【図１】
0005572498.tif 000002
【図２】
0005572498.tif 000003
【図３】
0005572498.tif 000004
【図４】
0005572498.tif 000005
【図５】
0005572498.tif 000006
【図６】
0005572498.tif 000007
【図７】
0005572498.tif 000008
【図８】
0005572498.tif 000009
【図９】
0005572498.tif 000010
【図１０】
0005572498.tif 000011
【図１１】
0005572498.tif 000012
【図１２】
0005572498.tif 000013
【図１３】
0005572498.tif 000014